(57)【要約】      （修正有）【課題】現用の道路安全施設在で夜間用に使用されている反射シートや、発光ダイオード（ＬＥＤ）表示灯では、照明用光源とそれに伴う電源設備が必要となる。反射器や再帰反射など利用した表示板は比較的安価であるが自己連続発光ができない。車両のヘッドライト反射光による視認では状況把握が遅れ事故に結びつく可能性も考えられる。この発明は新たな発光源として蓄光材を使用して先の問題を解決するものである。【解決手段】使用する蓄光材は残光性顔料で超高輝度・長残光性のもので、太陽光、蛍光灯、電燈などの非紫外光を照射すると自らエネルギーを活性化させて発光する。蓄光材を含有あるいは表面に塗布した発光体である蓄光チューブ３を自己連続発光させる。上部の太陽電池５と制御部６によりＬＥＤ４に電源を供給する。透明樹脂製パイプ１の内側に、蓄光チューブ３と、その間に反射シート２を配置してある。【選択図】図５
2006328927.tif 000002
【特許請求の範囲】
【請求項１】
チューブ状発光体である蓄光チューブ３に蓄光材を含有あるいは表面に塗布させ、図１に示すように透明樹脂製パイプ１などの透明パイプに挿入し、蓄光材の発光を励起させるため発光ダイオード（ＬＥＤ）４を蓄光チューブ３にほぼ均等な照度になるよう配置することを特徴とするパッテルライト。
【請求項２】
図１に示すように透明樹脂製パイプ１と蓄光チューブ３の間に導光性を高めた反射シート２を巻きつけて外光を取り込み導光による拡散光を蓄光チューブ３に照らすよう配置することを特徴とするパッテルライト。
【請求項３】
請求項１または請求項２のパッテルライトで、図２に示すようにＬＥＤ４を透明樹脂製パイプ１の端面あるいは両端に１個あるいは複数個を配置することを特徴とするパッテルライト。
【請求項４】
請求項１から請求項３のパッテルライトで、図３に示すように透明樹脂製パイプ１と蓄光チューブ３の間に反射シート２を巻きつけ配置する。その際、反射シート２の外周側断面形状を三角形、凹凸形、ノコギリ形、円弧状にして入射光を円周方向に導光させる手段とするパッテルライト。または、透明樹脂製パイプ１の内壁の断面形状を三角形、凹凸形、ノコギリ形、円弧状にしてその内部側に反射シート２と蓄光チューブ３を配置して入射光を円周方向に導光させる手段とするパッテルライト。
【請求項５】
請求項１から請求項４のパッテルライトで、図４に示すようにヘッドライト等外部の入射光は透明樹脂製パイプ１に照射されると一旦屈折し透過して蓄光チューブ３に達して反射光と透過光を生ずる。入射光は暫時反射及び透過を繰り返し、円周上に進行し拡散して蓄光チューブ３に含有またはその表面に塗布してある蓄光材に照射し励起させて発光する手段とするパッテルライト。
【発明の詳細な説明】
【技術分野】
【０００１】本発明は、照明付き看板や表示灯などに使用するための道路安全施設に関する。
【背景技術】
【０００２】現在夜間用に使用されている反射シートや、発光ダイオード（ＬＥＤ）表示灯では、照明用光源とそれに伴う電源設備が必要となる。反射器や再帰反射など利用した表示板は比較的安価であるが自己連続発光ができない。この様な事由により道路上設置場所の制約を受け易い。車両のヘッドライト反射光による視認では状況把握が遅れ事故に結びつく可能性も考えられる。
【特許文献１】
【発明の開示】
【発明が解決しようとする課題】
【０００３】  上記のように現在使用されている反射シートや、発光ダイオード（ＬＥＤ）表示灯では、照明用光源が必要となる。反射器や再帰反射など利用した表示板は比較的安価であるが、自己連続発光ができない。
本発明はパッテルライトにおいて前述の問題点を解決し、配電設備を不要とするため設置に制約を受けにくいこと、蓄光材使用による連続発光により視認性の向上、などを織り込んだパッテルライトを道路安全施設として提供することにある。
【課題を解決するための手段】
【０００４】上記の課題を解決するために、本発明では従来の反射器、再帰反射あるいは蛍光灯やＬＥＤに代わる光源として蓄光材を使用する。使用する蓄光材は残光性顔料で超高輝度・長残光性のもので、太陽光、蛍光灯、電燈などの非紫外光を照射すると自らエネルギーを活性化させて発光する。図１に示すように蓄光チューブ３に蓄光材を含有あるいは表面に塗布したものである。【０００５】このチューブ状発光体である蓄光チューブ３を図１に示すように透明樹脂製パイプ１などの透明パイプに挿入し、蓄光材の発光を励起させるためＬＥＤ４を蓄光チューブ３にほぼ均等な照度になるよう配置する。
（請求項１）【０００６】更に、透明樹脂製パイプ１と蓄光チューブ３の間に導光性を高めた反射シート２を巻きつけて外光を取り込み導光により拡散光を蓄光チューブ３に照らすよう配置する。
（請求項２）【０００７】請求項１または請求項２のパッテルライトで、図２に示すようにＬＥＤ４を透明樹脂製パイプ１の端面あるいは両端に１個あるいは複数個を配置する。
（請求項３）【０００８】請求項１から請求項３のパッテルライトで、図３に示すように透明樹脂製パイプ１と蓄光チューブ３の間に反射シート２を巻きつけ配置する。その際、反射シート２の外周側断面形状を三角形、凹凸形、ノコギリ形、円弧状にして入射光を円周方向に導光させる手段。または、透明樹脂製パイプ１の内壁の断面形状を三角形、凹凸形、ノコギリ形、円弧状にしてその内部側に反射シート２と蓄光チューブ３を配置して入射光を円周方向に導光させる手段。
（請求項４）【０００９】請求項１から請求項４のパッテルライトで、図４に示すように外部の入射光は透明塩ビ製樹脂パイプ１に照射されると一旦屈折し透過して反射シート２に反射光と透過光を生ずる。入射光は暫時反射及び透過を繰り返し、以降円周上に拡散して進行し蓄光チューブ３に含有あるいは表面に塗布してある蓄光材を励起させる手段。
（請求項５）
【発明の効果】
【００１０】本発明のパッテルライト使用した場合、例えば電源は上部搭載の太陽電池と制御都で自給できるので電源敷設の必要がなく、電気料金も発生しない。【００１１】本発明のパッテルライトは透明樹脂製パイプ１の内部に蓄光チューブ３を内蔵し、外部光を取り入れることで夜間、トンネル内で道路保安光を約１０時間以上発光させる。【００１２】本発明のパッテルライトは、蓄光チューブ３の発光効果を高めるため、透明樹脂製パイプ１との間に反射シート２を巻きつけ配置する。反射シート２の表面または透明樹脂製パイプ１の内壁に凹凸や三角、円弧状などの断面を持つように加工を施して外部光の導光性及び拡散性を良好にして蓄光チューブ３の発光効果を高める。【００１３】本発明のパッテルライトは、発光効果を一定量に保持するため蓄光チューブ３の上部または下部に１個または複数個のＬＥＤ４等を配置して制御部により非紫外光を間欠点灯して照射し、蓄光チューブ３に含有あるいは表面に塗布した蓄光材を励起させる。これによりパッテルライトは発光状態を保持できる。前述のＬＥＤ灯は本体上部に配置された太陽電池と制御部より電力供給を受ける自己電源方式である。
【発明を実施するための最良の形態】
【００１４】以下、本発明の実施例について図面により説明する。
図５はパッテルライトの外観図を示す。上部の太陽電池５と制御部６によりＬＥＤ４に電源を供給する。図１は透明樹脂製パイプ１の内側に、蓄光材を含有あるいは表面に塗布した発光体である蓄光チューブ３と、その間に反射シート２を配置してある。図２の様にＬＥＤ４は蓄光チューブ３の上部または下部に１個または複数個を配置し、制御されたＬＥＤ灯より非紫外光を間欠放射して蓄光チューブ３に含有あるいは表面に塗布した蓄光材に照射して励起させその発光を保持させる。図３では発光効果を高めるため、透明樹脂製パイプ１と蓄光チューブ３の間に反射シート２を巻きつけ配置してある。反射シート２表面または透明樹脂製パイプ１の内壁には凹凸や三角、円弧状などの断面を持つ表面または内部加工を施して、図４に示すように外部の入射光は透明樹脂製パイプ１に照射されると一旦屈折し透過して蓄光チューブ３に達して反射光と透過光を生ずる。入射光は暫時反射及び透過を繰り返し、以降円周上に進行し拡散して蓄光チューブ３の蓄光材を照射して励起させる。
【産業上の利用可能性】
【００１５】  本発明のパッテルライトは、現在使用されている反射シートや、発光ダイオード（ＬＥＤ）表示灯あるいは、反射器や再帰反射など利用した表示板と比較して配電設備を不要とするため設置に制約を受けにくいこと、蓄光材使用による連続発光により視認性の向上、などを織り込んだパッテルライトを道路安全施設として提供することにあり、更に省エネでもあることから社会への貢献も期待できるものとなる。
【図面の簡単な説明】
【００１６】
【図１】パッテルライトの配置を示す図
【図２】ＬＥＤの配置を示す図
【図３】反射シート及び透明樹脂製パイプの配置を示す図
【図４】外部入射光の進行経路を示す図
【図５】全体の外観図
【符号の説明】
【００１７】１：透明樹脂製パイプ
２：反射シート
３：蓄光チューブ
４：ＬＥＤ
５：太陽電池
６：制御部
７：反射式サインリング
８：ベース
【図１】
2006328927.tif 000003
【図２】
2006328927.tif 000004
【図３】
2006328927.tif 000005
【図４】
2006328927.tif 000006
【図５】
2006328927.tif 000007